(57)【特許請求の範囲】
【請求項１】
雨具を折り畳んだ状態を保つための面ファスナーによる保持手段と、ランドセルの蓋に雨具を装着するための装着手段とが設けられ、該装着手段は、ランドセルの蓋に被せて装着するための袋体であることを特徴とするランドセル用雨具。
【請求項２】
前記の雨具は、マントタイプであり、ほぼ中心部に頭部を通すための開口部と、フードが設けられていることを特徴とする請求項１に記載のランドセル用雨具。
【請求項３】
前記の雨具の外周部に気体を注入する気密チューブ部が設けられていることを特徴とする請求項２に記載のランドセル用雨具。
【請求項４】
前記の気密チューブ部内に気体を注入するための気体注入手段と、雨具の内部側に侵入した水を感知する侵入水感知センサーとが設けられ、雨具内に侵入した水を感知することにより気体注入手段が作動して気密チューブ部内に気体が充填されることを特徴とする請求項３に記載のランドセル用雨具。
【請求項５】
前記の雨具の表面全体に、救難・救助用の文字又は絵が表示されていることを特徴とする請求項３又は請求項４に記載のランドセル用雨具。
【発明の詳細な説明】
【０００１】
【発明の属する技術分野】
本発明は、レインコートや合羽などのように体全体を覆って雨や雪から体が濡れるのを防ぐ雨具に関し、不使用時には、コンパクトに折り畳んで鞄などに容易に装着・携帯でき、また水難事故などで救難・救助の役目を果たす浮輪の機能も兼ね備えた雨具に関する。
【０００２】
【従来の技術】
従来より、体全体を覆って使用する雨よけの道具として、合羽やレインコートなどが広く用いられてきた。傘と違い両手が自由に使えることで作業性を損なわないので、屋外で仕事をする人にとって、とても便利である。
【０００３】
特に、小学生のような体が十分に発達していない児童にとって、小さい体の割に大きなランドセルに目一杯詰め込んだ学習道具や、ランドセルに入りきらない書道用具など、各種教材を持って学校と家の間を行き来することは、とても重労働である。
【０００４】
それにもかかわらず、雨天時などでの片手が塞がってしまう傘の使用は、児童の歩行を不安定にし、登下校中での突発的事故の際など、手をついて身を守ることもできず、怪我を助長することにもなる。また、傘の使用は、視界が狭くなることもあり、運転者側から見ても非常に危険であり、事故を誘発する一因ともなり得る。
【０００５】
このことからも、着衣して体全体を覆い、両手が自由に使えるレインコートなどの雨具は、自由な動きが可能となり、また傘のように視界を遮られることもなく、非常に有用である。また、最近は、撥水・防水加工が施されたものや、素材の質の向上から通気性、防寒・保温性に富んだもの、機能的且つデザイン的にも優れたものなど数多く製品化されている。
【０００６】
また、実開平６−７０６１８号では、ランドセルの側面に雨具の収納袋を設けた考案が開示されている。ランドセルに雨具を常備することにより、急な雨降りなどにも対応できるようにしたものである。
【０００７】
また、特開平１０−１９２０２８号では、リュックカバンの下部に雨具が連結され、かつ収納できるようにしたものである。この雨具は、必要時に、直ちに雨具を収納部から引き出し、展開して着用でき、カバンが雨具の内側となり、身体と共にカバンをも雨から避けることができるものである。
【０００８】
【発明が解決しようとする課題】
このように、大人から子供まで幅広く使用でき、体全体を覆って両手が自由に使えるレインコートのような、着衣して体全体を覆う雨具はとても有用ではあるが、使用の度に広げて着て、また脱いで畳んで、と着衣、脱衣の際の煩わしさは否めない
【０００９】
また、ある程度小さく折り畳まなければ携帯に不便であるため、使用の度に大きいコートを折り畳むことと同じであり、濡れて冷たくなったレインコートを小さくコンパクトに折り畳むことは非常に面倒な作業であり、丸めてグシャグシャにして袋に押し込んでしまうことも少なくない。
【００１０】
そして、濡れたままにしておくことで、カビが発生してカビ臭くなることもあり、乾かずに濡れた状態でグシャグシャの状態になっていれば、次回から使う気になれなくなったとしても不思議ではない。
【００１１】
特に、小さい児童の中には、自分の洋服すら満足に畳めない子も少なくなく、レインコートを小さくコンパクトに折り畳むことは、そういった児童達にとって、とても根気のいる作業である。折り畳んで収納することができなければ、持ち歩くことを諦めてしまうことにもつながり、こういった悪循環によって、せっかくの有用な雨具が利用されないことは非常に残念なことである。
【００１２】
また、上記の実開平６−７０６１８号では、雨具を収納するには、まず雨具収納部を設ける必要があり、既に購入してしまったランドセルでは、後から雨具収納部を設けるか、収納部が設けられたランドセルを新たに購入しなければならないという問題点がある。
【００１３】
ほとんどの小学生が１つのランドセルを6年間使用し続けることから考えると、雨具収納部が設けられていないからと言って、雨具収納部が設けられているランドセルを新たに購入することは、使い捨て時代の考え方であり、１つの道具を愛着をもって大切に扱うという精神とは全く異なるものである。また、雨具収納部に雨具が収納されているかどうか外見から判断し難く、雨具の入れ忘れなどの問題もある。
【００１４】
また、上記の特開平１０−１９２０２８号では、雨具着用者と鞄の両方を雨から避けることができるが、雨具着用者の身体に固定する形式の鞄でしか、利用できないという問題がある。
【００１５】
これでは、使用する鞄によって雨具の利用が制限されてしまうことになり、せっかくの有用な雨具の利用範囲を狭めてしまうことになる。また、鞄を背負ったままで着用するため、背中側から雨具を展開して、手探りで開口部を探し、頭から被り、さらに両手を通して着用するため、大人でもなかなか難しい動作となり、子どもなどではほとんど着用できない。
【００１６】
また、集中豪雨のような状況下では、川の氾濫や防波堤の決壊など、大惨事が予想されるが、突発的な水難事故などの際に、救難救助用の道具を予め備えていることは不可能に近い。
【００１７】
全身に着用して使用するレインコートのような雨具は、雨や雪などの悪天候時でも快晴時と変わらない安定した歩行を可能にし、雨や雪から身を守ってくれるとても便利な服ともなる。
【００１８】
しかし、陸上で絶大な効果をもたらした雨具が、仮に着衣したまま水の中に入ったものなら、水中での身体の自由を奪い、落命の危険性を大きくしてしまう恐ろしい道具にもなる。特に、遊び盛りの児童にとって川は格好の遊び場であるが、それ故に、悲惨な水難事故が毎年数多く起きている。
【００１９】
このような救難救護用具の機能を備えたランドセルや鞄は、今だ開発されていない。
【００２０】
本発明は、前記した問題に鑑みてなされたものであり、特に、突然の雨や雪の場合にも使用可能であり、収納性、携帯性に優れ、着用しやすく、水難事故などの有事には救難救助の効果を期待できる雨具を提供することを課題とする。
【００２１】
【課題を解決するための手段】
本発明は、前記に示す課題を解決するために、雨具を折り畳んだ状態を保つための面ファスナーによる保持手段と、鞄の蓋に雨具を装着するための装着手段を設けることを特徴とするものである。
【００２２】
該保持手段は、面ファスナーを用い、雨具を折り畳んだ状態から容易に展開しないように保持することができるものであればいずれでも良く、例えば、雨具を折り畳んでコンパクトになった状態でマジックテープ（登録商標）などで展開しないように固定できるようにしたものでも良い。
【００２３】
また、鞄の蓋に雨具を装着するための装着手段は、鞄の開け閉めなどの際に、雨具が外れてしまうことがないように鞄の蓋に装着できていれば、その装着方法はいずれでも良く、ベルトで締めて固定しても、ボタンで留めても、紐などで固縛しても良い。
【００２４】
また、外見から鞄の蓋に装着されていることが分かるように装着すれば、雨具をうっかり忘れることがなくて都合が良く、特に児童にとって忘れ物をしないことは、学校生活において非常に重要な課題でもあるので、雨具を持ったつもりになって、うっかり忘れるということがない点において安心である。
【００２５】
また、本発明は、前記の装着手段として、鞄の蓋に被せて装着するための袋体を設けることを特徴としたものである。
【００２６】
該袋体は、鞄の蓋を袋体の開口部から袋体内に挿入することによって、雨具を鞄の蓋に容易に装着できるようにしたもので、袋体の形状は、例えば鞄の蓋と同じ大きさであり、ぴったり収まる形状であれば、鞄の蓋に無駄なく装着できる。
【００２７】
また、袋体の材質は、雨具と同じ材質のものであれば、着用した際に違和感がなくて良い。袋体の開口部の大きさは、鞄の蓋が袋体の開口部から挿入でき、鞄の蓋に袋体を被せて装着することができる大きさであればいずれでも良く、例えば、開口部を大きくすることで、鞄の種類に制限されることがなく利用できる。
【００２８】
また、本発明は、マント状の雨具であり、雨具のほぼ中心部に雨具着用者が頭部を通すための開口部と、雨具着用者が頭部に被ることができるフードが設けられていることを特徴とするものである。
【００２９】
マント状の雨具とは、雨具着用者が頭から被って着用することができるものであれば、いずれでも良く、例えば、小さな児童であってもランドセルのような鞄の蓋に装着されている雨具を簡単に広げることができ、頭から被ることで、鞄ごとすっぽりと覆うことができ、また使用後に雨具を小さく折り畳む作業も容易に行なえ便利である。
【００３０】
前記の雨具のほぼ中央部に設けられた開口部は、雨具着用者が雨具を頭から被った際に、頭部を通すためのものであり、大きすぎると首元まで露出してしまうことになるので、ほぼ頭大の大きさが望ましく、その形状は円形であっても楕円形であっても差し支えないが、四角形のような形状では、無駄に首元を露出させることになるので、適さない。
【００３１】
また、フードを設けることで、開口部を通して露出した頭部が、雨や雪に濡れるのを防いでくれるので、非常に便利である。例えば、フードとともに首元を締めることができる調節ヒモのようなものが設けられてあれば、風の強い寒い日などでは、首元の露出を防いで、防寒・保温の役目を果たし、非常に重宝する。
【００３２】
また、本発明は、雨具の外周部に気体を注入する気密チューブ部が設けられていることを特徴とするものである。該気密チューブ部は、空洞のチューブ部内に充填された気体が漏れなければ何れでも良く、一般的な浮輪と同じ構造で良い。
【００３３】
この外周部に設けられた気密チューブ部に気体を注入することで、雨具が浮輪のような状態になり、例えば、雨具を着用したまま誤って水中に転落した場合など、浮輪状態となった雨具によって、溺れるのを防ぐことができる。気体の注入は、自分の息を吹き入れても良く、携帯式の小型圧縮ボンベやガス発生剤などを予め設けておいても良い。
【００３４】
また、前記の雨具のほぼ中央部に設けられた開口部にも、気密チューブ部が設けられていれば、気体を注入するとともに、首元の余計な隙間を無くして密着することで、開口部から水が入ってくるのを防ぎ、また開口部から露出した頭部を水面上に維持し続けることができるので、万一、水中に転落した雨具着用者が浮輪状態となった雨具にしがみついたまま寝入ったとしても、浮輪状態の雨具からすり抜けて、水中に沈んでしまうことがなく、また浮輪状態の雨具の中に水が入らないため、溺れるのを防ぐことができる。
【００３５】
雨具着用者がランドセルを背負ったまま水中に転落することも考えられるが、その場合、首から下は自由に動くことができるので、背負っているランドセルを簡単に脱ぐことで、溺れる要因を自らの力で排除することが可能である。
【００３６】
さらに、雨具を着用していない状態で、気密チューブ部に気体を注入すれば、小型のボートとしても活用でき、救難救助の道具として広く利用できる。
【００３７】
また、本発明は、雨具の外周部の気密チューブ部内に気体を注入する手段と、雨具の内部側に侵入した水を感知する侵入水感知センサーとが設けられており、侵入水感知センサーが水を感知することにより、気体注入手段が作動して気密チューブ部内に気体が充填されることを特徴とするものである。
【００３８】
該侵入水感知センサーは、水が雨具の内部側に侵入した場合に作動するものであればいずれでも良く、例えば、水で濡れることにより導電してスイッチ動作をするセンサーを、通常の雨が入り込まない、前記の装着手段である袋体の鞄側部分に設けたものでも良い。通常の雨では、作動せず、水中に鞄が浸漬したときに作動することとなる。
【００３９】
該気体注入手段は、上記の侵入水感知センサーの作動により、気密チューブ部に気体を注入できるものであれば何れでも良い。例えば、侵入水感知センサーの作動により開動作する電磁バルブが設けられた携帯圧縮空気ボンベや、侵入水感知センサーの作動により、点火するインフレータ（ガス発生装置）などでも良い。インフレータは、自動車のエアバック装置などに使用されるガス発生剤を使用することができる。
【００４０】
また、本発明は、雨具の表面に、救難・救助用の文字又は絵が表示されていることを特徴とするものである。
【００４１】
救難・救助用の文字又は絵は、雨具が水難事故などで、浮輪又は小型ボートとして利用された際に、救助を求める意思を表示する手段であり、上空などの遠方から視覚的に目立つものであれば、文字であっても、絵や色が施されたものであっても構わないものとする。ＳＯＳなどの救難文字を展開した雨具の表面全体に黄色などの原色で塗装したものでも良い。
【００４２】
また、反射フィルムなどが施されていれば、単に雨具として利用した場合でも、暗い夜道であっても遠方から発見し易いため、交通事故等を未然に防ぐことが期待できる。
【００４３】
【発明の実施の形態】
以下に、本発明による実施の形態を図面を用いて説明する。
【００４４】
本発明は、大人から子供まで利用でき、その効果を発揮する雨具を提供するものであるが、ここでは特にランドセルを背負った児童が着用した場合について説明する。
【００４５】
本発明による雨具を展開した状態の表面を図１（１）、裏面を図１（２）にそれぞれ示す。
【００４６】
本雨具は、着用者の首を通して着用できるフード付きのマント状雨具本体１と、該マント状雨具本体１をランドセルの蓋に被せて装着するための袋状の装着部２と、該マント状雨具本体１を折り畳んだ後に展開しないように、折り畳んだ状態で保持するための面ファスナーによる留め具３とで構成されている。
【００４７】
該マント状雨具本体１は、防水素材又は撥水素材による円形状シート体であり、中央部に首を通すための開口部４が設けられ、着用者の頭部を覆うためのフード５が設けられ、襟首部を締めるためのファスナーが設けられている。
【００４８】
該装着部２は、ランドセルの蓋と同等のサイズの袋体であり、前記のマント状雨具本体１の中央部に固着されている。装着後に外れることを防止するための紐などの留め具を設けても良い。
【００４９】
また、該装着部２には、前記のマント状雨具本体１を折り畳んだ時に展開しないように固定するための面ファスナーによる留め具３が取り付けられている。該装着部２の左右端部に各々ベルトを設け、その端部に面ファスナーによる留め具３を設けて、締付けて固定できるようにしても良い。
【００５０】
このように構成された本雨具は、以下のように装着して使用する。
【００５１】
本発明による雨具を、ランドセルの蓋に装着する状態を図２に示す。
【００５２】
袋体である該装着部２には、ランドセルの蓋の幅と同じ幅の開口部６と、該開口部６とは反対側に、ランドセルの蓋の先端部にある留め金具７を突出させるための小さい幅の挿通口部８とが設けられている。
【００５３】
該開口部６は、ランドセルの蓋を挿入するためのもので、該開口部６の中を通すことで、本雨具がランドセルの蓋をすっぽりと覆うように装着することができる。
【００５４】
前記の小さい幅の挿通口部８は、該留め金具７を出すためのもので、該開口部６の中を通したランドセルの蓋の先端部にある留め金具７を、この挿通口部８から突出させることで、ランドセルの蓋を先端部の留め金具７で締めることができる。
【００５５】
このように、本雨具は、雨具を収納するための特別な収納部を設ける必要がなく、どのランドセルに対しても同じように、本雨具を装着することができる。
【００５６】
また、該装着部２は、袋状になっているので、該開口部６の中をランドセルの蓋を通すだけでよく、煩わしい作業がないので、容易に装着することができ、着脱が手軽にできる。
【００５７】
また、本雨具は、鞄の蓋に装着することで、本雨具を容易に携帯できることを実現するものであるが、例えば、該装着部２の挿通口部８を面ファスナーなどの留め具３で覆い、開口部６を紐で縛れるようにすれば、巾着のような小物入れとしての利用が可能になる。
【００５８】
本発明による雨具を、ランドセルの蓋に装着した状態を図３に示す。
【００５９】
本雨具は、ランドセルの蓋を完全に覆うように装着するので、本雨具がランドセルの蓋に装着されていることが一見して分かり、本雨具を持ったつもりになって、うっかり忘れるということがない。
【００６０】
また、装着された本雨具のランドセルの蓋の外面に、反射フィルム９を貼り付けると、暗い夜道であっても街灯や自動車のライトなどに反射して、遠方からでも発見し易いため、交通事故などを未然に防ぐことが期待できる。
【００６１】
このように装着し、携帯できる本雨具は、以下のように着用して使用する。
本発明による雨具を、ランドセルを背負ったまま着用した状態を図４に示す。
【００６２】
本雨具着用者は、マント状雨具本体１の中央部に設けられた開口部４から首を通して被り、フード５で頭部を覆い、襟首部をファスナーで締めて着用する。
【００６３】
本雨具は、ランドセルの蓋から取り外し、展開して広げるだけで、すぐに使用可能状態となり、マント状であるため、ランドセルを背負ったままの状態でも、そのまま頭から被ることができる。雨や風の強い日などには、ファスナーを締めることで、首元の隙間に雨や風が入らないようにすることができる。
【００６４】
また、本雨具に反射フィルムが貼り付けられていれば、本雨具を着用して暗い道を歩いているときでも、街灯や自動車のライトなどに反射して、遠方からでも発見し易いため、交通事故などを未然に防ぐことが期待できる。
【００６５】
このように容易に着用できる本雨具は、救難救助等の道具として以下のように使用できる。
【００６６】
前記のマント状雨具本体１は、中央部に侵入水感知センサーが設けられ、本雨具の内部側に侵入した水を感知することにより、気体注入手段が作動して、マント状雨具本体１の外周部に設けられた気密チューブ部１０内に気体が充填される。
【００６７】
該気体注入手段は、侵入水感知センサーにより作動するものであるが、センサーが作動しなくとも、例えばセンサーの故障や、その他必要において、気体注入口１１から自分の息を直接吹き入れても良い。
【００６８】
本発明による雨具を、救難救助の道具として使用した状態を図５（１）、（２）に示す。
【００６９】
本雨具は、気密チューブ部１０内に気体が充填されると、水面に浮いて浮輪の役目を果たす。
【００７０】
前記のマント状雨具本体１中央部に設けられた首を通すための開口部４にも、気密チューブ部が設けられていれば、気体を注入するとともに、首元が余計な隙間を無くして密着された状態になることで、開口部４から水が入ってくるのを防ぎ、頭部を水面上に維持し続けることができるので、水中に転落した本雨具着用者が浮輪状態となった雨具にしがみついたまま寝入ったとしても、開口部４からすり抜けて、水中に沈んでしまうことがない。
【００７１】
本雨具を着用していない状態で、気密チューブ部１０内に気体を注入すれば、小型のボートとしても活用でき、救難救助の道具として広く利用できる。
【００７２】
また、浮輪又は小型ボートとして利用された際に、本雨具の表面に施された文字などによって、水面に浮かんでいる状態のまま、救助を求める意思を表示することができ、上空などの遠方からでも発見し易く、救助される可能性が高くなる。
【００７３】
以上のように、本発明における雨具は、単に雨具としての利用に留まらず、例えば児童であっても簡単に着衣、脱衣ができ、且つ折り畳んで収納することも容易にできる雨具であって、水難事故等の最悪の状況に発展した場合であっても、救難救助としての機能をも備えた雨具を提供することが可能となる。
【００７４】
【発明の効果】
以上、詳細に説明した本発明では、以下に示すような効果がある。
【００７５】
１）折り畳んだ雨具が簡単に展開しないように面ファスナーで保持するとともに、折り畳んだ雨具を鞄の蓋に容易に装着できる雨具を提供することができる。
【００７６】
２）袋体の装着部が設けられているため、折り畳んだ雨具を簡単に鞄の蓋に挿通し、被せることができ、特に鞄に収納部を設けることなく、どの鞄の蓋に対しても装着でき、雨具の着脱が非常に容易である。
【００７７】
３）マント状の雨具であるため、展開、折り畳み作業が簡便で、頭から被るだけで着用できるので、突然の雨や雪などでも、すぐに使用が可能である。
【００７８】
４）気密チューブ部が設けられているため、単に雨具としての利用に留まらず、救難救助の道具として、浮輪や小型ボートとしての活用もできる。
【００７９】
５）水感知センサーが設けられているため、雨具を着用したまま水の中に転落しても、センサーが作動し、気密チューブ部内に気体が注入され、必要に応じて、自力で気体を注入することもできるので、緊急非常時において、有効に機能することが期待できる。
【００８０】
６）雨具の表面全体に、救助を求める意思を表示する手段である救難・救助用の文字又は絵が表示されているため、上空などの遠方からでも発見し易く、救助される可能性が高くなる。
【００８１】
このように、本発明によれば、雨や雪などで使用する雨具において、頭から被って使用するマント状の雨具であるため、着衣、脱衣が容易に行なえ、且つ、展開、折り畳み作業が簡便で、使用の度に感じる煩わしさを軽減できるので、特に小さい子供であっても容易に使用でき、収納性、携帯性に優れているので、種類を問わず鞄の蓋に装着でき、特にランドセルの蓋に装着すれば、登下校時に使用する雨具としては最適であり、また水難事故などの有事には救難救助の機能を発揮することができる雨具を実現できる。
【図面の簡単な説明】
【図１】本発明による雨具を展開した状態の表面、裏面の図である。
【図２】本発明による雨具をランドセルの蓋に装着する状態を示す図である。
【図３】本発明による雨具をランドセルの蓋に装着した状態を示す図である。
【図４】本発明による雨具の着用例を示す図である。
【図５】本発明による雨具を浮輪として使用した例を示す図である。
【符号の説明】
１    マント状雨具本体
２    装着部
３    面ファスナーによる留め具
４    開口部
５    フード
６    開口部
７    留め金具
８    挿通口部
９    反射フィルム
１０    気密チューブ部
１１    気体注入口
【図１】
0003970608.tif 000002
【図２】
0003970608.tif 000003
【図３】
0003970608.tif 000004
【図４】
0003970608.tif 000005
【図５】
0003970608.tif 000006